(57)【特許請求の範囲】
【請求項１】
電力系統の電力で蓄電池を充電する充電部と、
電気料金の単価が日中より低額な時間帯の範囲内で設定された設定時間帯に前記充電部の充電を制御する制御部と、を備え、
前記制御部は、前記蓄電池および前記充電部の仕様に応じて定められた充電電力で充電する第１の充電モードと、前記蓄電池および前記充電部における充電電力の損失が前記第１の充電モードより小さい充電電力で充電する第２の充電モードとを含む複数の充電モードを備え、前記設定時間帯の終了時刻までに前記蓄電池の充電が完了するように、前記複数の充電モードの中から選択した一又は複数の充電モードに従って前記充電部を作動させる、
蓄電池の充電装置。
【請求項２】
前記制御部は、前記設定時間帯の終了時刻に前記蓄電池が満充電状態になる一又は複数の充電モードに従って前記充電部を作動させる、
請求項１に記載の蓄電池の充電装置。
【請求項３】
前記制御部は、各充電モードの充電電力と前記蓄電池の残量との相関に基づいて選定した一又は複数の充電モードに従って前記充電部を作動させる、
請求項１または２に記載の蓄電池の充電装置。
【請求項４】
前記制御部は、前記選定において、前記第１の充電モードよりも前記第２の充電モードを優先する、
請求項３に記載の蓄電池の充電装置。
【請求項５】
前記制御部は、前記選定において、前記第２の充電モードの充電電力で前記終了時刻に前記蓄電池の充電が完了可能な場合は前記第２の充電モードを選定する、
請求項３または４に記載の蓄電池の充電装置。
【請求項６】
前記第１の充電モードは、前記第２の充電モードよりも充電電力が大きく設定されており、
前記制御部は、前記選定において、前記第２の充電モードの充電電力で前記終了時刻に
前記蓄電池の充電が完了不能な場合は前記第１の充電モードを選定する、
請求項３から５の何れか一項に記載の蓄電池の充電装置。
【請求項７】
前記制御部は、前記第１の充電モードに従って作動する前記充電部によって充電中の前記蓄電池の残量が、前記第２の充電モードで前記終了時刻に充電が完了できる残量に達すると、前記充電部が従う充電モードを前記第１の充電モードから前記第２の充電モードへ切り替える、
請求項６に記載の蓄電池の充電装置。
【請求項８】
電力系統の電力で蓄電池を充電する蓄電池の充電方法であって、
電気料金の単価が日中より低額な時間帯の範囲内で設定された設定時間帯において、前記蓄電池および前記蓄電池を充電する充電部の仕様に応じて定められた充電電力で充電する第１の充電モードと、前記蓄電池および前記充電部における充電電力の損失が前記第１の充電モードより小さい充電電力で充電する第２の充電モードとを含む複数の充電モードの中から選定した、前記設定時間帯の終了時刻までに前記蓄電池の充電が完了するように、前記複数の充電モードの中から選択した一又は複数の充電モードに従って前記充電部を作動させる、
蓄電池の充電方法。
【請求項９】
電力系統の電力で蓄電池を充電する蓄電池の充電プログラムであって、
制御装置に、電気料金の単価が日中より低額な時間帯の範囲内で設定された設定時間帯において、前記蓄電池および前記蓄電池を充電する充電部の仕様に応じて定められた充電電力で充電する第１の充電モードと、前記蓄電池および前記充電部における充電電力の損失が前記第１の充電モードより小さい充電電力で充電する第２の充電モードとを含む複数の充電モードの中から選定した、前記設定時間帯の終了時刻までに前記蓄電池の充電が完了するように、前記複数の充電モードの中から選択した一又は複数の充電モードに従って前記充電部を作動させる処理を実行させる、
蓄電池の充電プログラム。
【発明の詳細な説明】
【技術分野】
【０００１】
本発明は、蓄電池の充電装置、方法およびプログラムに関する。
【背景技術】
【０００２】
蓄電技術の発展に伴い、蓄電池に蓄えた割安な夜間の電力を日中の電力消費に用いる電気設備が提案されている（例えば、特許文献１を参照）。
【先行技術文献】
【特許文献】
【０００３】
【特許文献１】特開平１１−１２７５４６号公報
【発明の概要】
【発明が解決しようとする課題】
【０００４】
割安な夜間の電力を最大限活用するには、蓄電池の充電を朝までに完了させることが望ましい。よって、電力系統の電力を蓄電池へ給電するインバータ等の各種充電設備には、蓄電池の容量や充電可能時間に見合った充電電力を供給可能な機器が選定される。そして、充電設備の各機器の性能（定格電力）に応じた充電電力で蓄電池の充電が行われる。
【０００５】
ところで、充電電力が大きいと蓄電池を短時間で充電することができるが、蓄電池には内部抵抗があり、電気が流れる線路にも抵抗があるため、蓄電池や線路における充電電力の損失は充電電力に応じて増大する。また、電力を変換するインバータ等には制御回路等による電力の自己消費やスイッチングロスがあるため、充電電力が小さすぎると変換効率が悪化する。このため、このような各機器の特性を踏まえた、充電設備における電力の損失が比較的小さくなる適当な充電効率で充電されることが望まれるが、単に充電効率を優先した充電電力に設定すると、蓄電池の充電が朝までに完了できない可能性が生じ、割安な夜間の電力を最大限に活用するという本来の目的を達成できない虞がある。
【０００６】
そこで、本願は、充電効率の低下を抑制しながら、電力が割安な時間帯に充電を完了できる蓄電池の充電装置、方法およびプログラムを開示する。
【課題を解決するための手段】
【０００７】
上記課題を解決するため、本発明は、電気料金の単価が日中より低額な時間帯の範囲内で設定された設定時間帯になると、蓄電池および充電部の仕様に応じて充電電力が定められた第１の充電モードと、充電電力の損失が小さい第２の充電モードとを有する複数の充電モードの中から、設定時間帯の終了時刻に蓄電池の充電が完了する一又は複数の充電モードを選定することにした。
【０００８】
詳細には、本発明は、蓄電池の充電装置であって、電力系統の電力で蓄電池を充電する充電部と、電気料金の単価が日中より低額な時間帯の範囲内で設定された設定時間帯に充電部の充電を制御する制御部と、を備え、制御部は、蓄電池および充電部の仕様に応じて定められた充電電力で充電する第１の充電モードと、蓄電池および充電部における充電電力の損失が第１の充電モードより小さい充電電力で充電する第２の充電モードとを含む複数の充電モードを備え、設定時間帯の終了時刻までに蓄電池の充電が完了するように、複数の充電モードの中から選択した一又は複数の充電モードに従って充電部を作動させる。
【０００９】
上記の充電装置であれば、設定時間帯の終了時刻に蓄電池の充電が完了するように充電を制御するので、充電を開始してから当該終了時刻までの時間の長さに応じた適宜の充電
モードの選定が行われる。このため、例えば、充電開始時における蓄電池の残量が比較的少ない場合には、第２の充電モードより充電電力の大きい第１の充電モードが第２の充電モードと併用される確率が高まり、充電開始時における蓄電池の残量が比較的多い場合には第１の充電モードが第２の充電モードと併用される確率が低くなり、場合によっては第２の充電モードによる充電だけで蓄電池の充電が完了することもある。このような充電モードの選択が行われることにより、充電効率の低下を抑制しながら、電力が割安な時間帯における充電の完了が実現される。
【００１０】
なお、制御部は、各充電モードの充電電力と蓄電池の残量との相関に基づいて選定した一又は複数の充電モードに従って充電部を作動させるものであってもよい。充電電力を積分すれば充電電力量を算定できるので、充電電力と蓄電池の残量との相関に基づく充電モードの選定が行われれば、設定時間帯の終了時刻に蓄電池の充電を完了させやすい。
【００１１】
また、制御部は、設定時間帯の終了時刻に蓄電池が満充電状態になる一又は複数の充電モードに従って充電部を作動させるものであってもよい。電気料金の単価が日中より低額な時間帯に蓄電池が満充電状態になれば、日中に消費される電力を、低額な時間帯の電力で最大限賄うことができる。
【００１２】
また、制御部は、上記の選定において、第１の充電モードよりも第２の充電モードを優先するものであってもよい。充電モードの選定において第２の充電モードが優先されれば、充電効率の高い第２の充電モードで充電される確率が高くなるので、充電効率の低下を可及的に抑制することができる。
【００１３】
また、制御部は、上記の選定において、第２の充電モードの充電電力で終了時刻に蓄電池の充電が完了可能な場合は第２の充電モードを選定するものであってもよい。第２の充電モードで充電が行われれば、第１の充電モードで充電が行われる場合よりも充電効率の低下が抑制されるので、蓄電池の充電に要する電力量を抑制することができる。
【００１４】
また、第１の充電モードは、第２の充電モードよりも充電電力が大きく設定されており、制御部は、上記の選定において、第２の充電モードの充電電力で終了時刻に蓄電池の充電が完了不能な場合は第１の充電モードを選定するものであってもよい。このような充電モードの選定が行われれば、少なくとも設定時間帯の終了時刻までには蓄電池の充電が完了できるので、日中に消費される電力を、低額な時間帯の電力で最大限賄うことができる。
【００１５】
また、制御部は、第１の充電モードに従って作動する充電部によって充電中の蓄電池の残量が、第２の充電モードで終了時刻に充電が完了できる残量に達すると、充電部が従う充電モードを第１の充電モードから第２の充電モードへ切り替えるものであってもよい。このような充電モードの選定が行われれば、充電効率の低下を抑制しながら、電力が割安な時間帯における充電の完了が実現できる。
【００１６】
なお、本発明は、方法の側面から捉えることもできる。例えば、本発明は、電力系統の電力で蓄電池を充電する蓄電池の充電方法であって、電気料金の単価が日中より低額な時間帯の範囲内で設定された設定時間帯において、蓄電池および蓄電池を充電する充電部の仕様に応じて定められた充電電力で充電する第１の充電モードと、蓄電池および充電部における充電電力の損失が第１の充電モードより小さい充電電力で充電する第２の充電モードとを含む複数の充電モードの中から選定した、設定時間帯の終了時刻までに蓄電池の充電が完了するように、複数の充電モードの中から選択した一又は複数の充電モードに従って充電部を作動させるものであってもよい。
【００１７】
また、本発明は、プログラムの側面から捉えることもできる。例えば、本発明は、電力系統の電力で蓄電池を充電する蓄電池の充電プログラムであって、制御装置に、電気料金の単価が日中より低額な時間帯の範囲内で設定された設定時間帯において、蓄電池および蓄電池を充電する充電部の仕様に応じて定められた充電電力で充電する第１の充電モードと、蓄電池および充電部における充電電力の損失が第１の充電モードより小さい充電電力で充電する第２の充電モードとを含む複数の充電モードの中から選定した、設定時間帯の終了時刻までに蓄電池の充電が完了するように、複数の充電モードの中から選択した一又は複数の充電モードに従って充電部を作動させる処理を実行させるものであってもよい。
【発明の効果】
【００１８】
本発明によれば、充電効率の低下を抑制しながら、電力が割安な時間帯に充電を完了できる。
【図面の簡単な説明】
【００１９】
【図１】図１は、電力制御システムの一実施の形態の構成例を示すブロック図である。
【図２】図２は、蓄電池ユニットの充放電状態および残量の変化の一例を示した図である。
【図３】図３は、電力制御システムの各部で発生する充電電力の損失箇所を示した図である。
【図４】図４は、電力系統から蓄電池ユニットへ充電電力が供給される場合の、ハイブリッドＰＣＳおよび双方向ユニットにおける電力の変換効率と充電電力の大きさとの関係の一例を示した図である。
【図５】図５は、蓄電池ユニットの内部抵抗および電気が流れる線路の抵抗に起因する充電効率と充電電力の大きさとの関係の一例を示した図である。
【図６】図６は、蓄電池ユニット、線路、ハイブリッドＰＣＳおよび双方向ユニットの全体の充電効率と充電電力との関係の一例を示した図である。
【図７】図７は、制御装置が実行する処理のフローチャートである。
【図８】図８は、終始第２充電電力で充電が行われる場合の残量および充電電力の変化を示したグラフである。
【図９】図９は、充電途中で第２充電電力充電に切り替わる場合の残量および充電電力の変化を示したグラフである。
【発明を実施するための形態】
【００２０】
以下、本技術を適用した具体的な実施の形態について、図面を参照しながら詳細に説明する。
【００２１】
図１は、本技術を適用した電力制御システム（本願でいう「充電装置」の一例である）の一実施の形態の構成例を示すブロック図である。
【００２２】
図１に示すように、電力制御システム１には、双方向ユニット３、ハイブリッドパワーコンディショナ（以下、「ハイブリッドＰＣＳ」という）４、制御装置５が備わっており、蓄電池ユニット２や電力系統６、屋内の負荷７と接続されている。双方向ユニット３およびハイブリッドＰＣＳ４は、本願でいう「充電部」の一例に相当する。
【００２３】
蓄電池ユニット２は、充放電可能な二次電池であり、例えば、リチウムイオン電池やその他各種の二次電池を適用可能である。双方向ユニット３は、いわゆるＤＣ／ＤＣコンバータであり、直流の入力電圧を他の電圧に変換して直流で出力する。双方向ユニット３は、蓄電池ユニット２側から入力される電力をハイブリッドＰＣＳ４側へ出力可能であり、ハイブリッドＰＣＳ４側から入力される電力を蓄電池ユニット２側へ出力可能でもある。
ハイブリッドＰＣＳ４は、いわゆるＤＣ／ＡＣコンバータであり、電力の交直変換を行う。ハイブリッドＰＣＳ４は、電力系統６側から入力される交流電力を双方向ユニット３側へ直流で出力可能であり、双方向ユニット３側から入力される直流電力を電力系統６側へ交流で出力可能でもある。
【００２４】
制御装置５は、メモリ（図示せず）に記憶されているプログラムを実行して電力制御システム１の各機器を制御する。制御装置５のメモリには、入力装置等を介して設定される各種の設定情報が記憶されている。
【００２５】
電力制御システム１は、例えば、住宅、店舗あるいは工場といった各種建物の分電盤に併設されることで、当該建物内における電力消費の少なくとも一部を蓄電池ユニット２の電力で賄うことができる。なお、電力制御システム１には、建物の屋上等に設置される太陽光発電モジュール８が設けられているが、燃料電池、風力発電機、その他の各種発電設備が設けられていてもよい。
【００２６】
図２は、蓄電池ユニット２の充放電状態および残量の変化の一例を示した図である。蓄電池の残量はSOC（State of Charge）で示してある。居住者が夜間に就寝し、日中に活動する典型的な一般住宅の電力消費は、例えば、図２のグラフの「負荷」の線で示されるように、日中が比較的高く、夜間が比較的低い。また、当該住宅に設置されている太陽光発電モジュール８は、例えば、図２のグラフの「ＰＶ」の線で示されるように、日の出から日の入りまでの間のみ発電する。夜間の電気料金の単価が日中より低額になる契約を電力会社と締結している住宅に上記電力制御システム１が設置される場合、電力制御システム１は、例えば、以下のように運用される。
【００２７】
すなわち、電力制御システム１の制御装置５には、電気料金の単価が日中より低額になる任意の時間帯が予め設定される。制御装置５は、予め設定された設定時間帯になると、双方向ユニット３やハイブリッドＰＣＳ４の昇降比を調整して蓄電池ユニット２の充電を行う（図２の丸数字の“２”を参照）。制御装置５は、設定時間帯以外においては、双方向ユニット３やハイブリッドＰＣＳ４の昇降比を調整して蓄電池ユニット２の電力を負荷７へ供給する（図２の丸数字の“３”を参照）。
【００２８】
なお、制御装置５は、太陽光発電モジュール８の発電電力が蓄電池ユニット２の電力よりも優先的に宅内で消費されるよう、双方向ユニット３やハイブリッドＰＣＳ４の昇降比を太陽光発電モジュール８の発電電力に応じて調整する。このため、太陽光発電モジュール８の発電電力が増えると蓄電池ユニット２の放電電力が減少する。そして、太陽光発電モジュール８の発電電力（ＰＶ）が宅内の消費電力（負荷）を上回ると、蓄電池ユニット２の放電が停止される（図２の丸数字の“１”を参照）。
【００２９】
ところで、制御装置５に設定されている充電の設定時間帯は、図２の丸数字の“２”が示す時間帯であり、契約によって定められた割安な単価が適用される時間帯が終わるよりも少し前に充電が完了するように設定されている。よって、図２のグラフでは、蓄電池ユニット２が充電を終えてから放電を開始するまでの間、宅内の電力消費は、電力系統６から供給される電力で賄われる（図２の丸数字の“５”を参照）。割安な単価が適用される時間帯であれば、宅内の電力消費を蓄電池ユニット２の電力ではなく、電力系統６から供給される電力で賄っても、割高な電気料金の請求は発生しない。
【００３０】
また、制御装置５は、設定時間帯以外では蓄電池ユニット２を充電しない。よって、図２のグラフに示されるように、太陽光発電モジュール８の発電電力が宅内の消費電力を上回っても、余剰の発電電力による蓄電池ユニット２の充電は行われず、余剰の発電電力は電力系統６へ送られて売電される。契約上、売電電力の単価が、割安な電気料金が適用さ
れる深夜電力の時間帯の電力の単価より高く設定されるため、太陽光発電モジュール８の発電電力を蓄電池ユニット２の充電に消費するよりも売電した方が電力制御システム１の利用者に有利なためである。
【００３１】
以下、上記電力制御システム１における充電電力の損失について説明する。図３は、電力制御システム１の各部で発生する充電電力の損失箇所を示した図である。蓄電池ユニット２の充電が行われる場合、図３に示されるように、電力制御システム１の各部で充電電力の損失が生ずる。例えば、双方向ユニット３やハイブリッドＰＣＳ４では、スイッチングロスや制御電源の消費による電力の損失が生ずる。また、蓄電池ユニット２と双方向ユニット３とを繋ぐ線路では電気的な抵抗による損失が生ずる。また、蓄電池ユニット２では内部抵抗による損失が生ずる。
【００３２】
図４は、電力系統６から蓄電池ユニット２へ充電電力が供給される場合の、ハイブリッドＰＣＳ４および双方向ユニット３における電力の変換効率と充電電力の大きさとの関係の一例を示した図である。すなわち、充電電力が最大充電電力を大幅に下回ると、ハイブリッドＰＣＳ４および双方向ユニット３における電力の自己消費やスイッチングロスにより、電力の変換効率が大幅に低下する。
【００３３】
図５は、蓄電池ユニット２の内部抵抗および電気が流れる線路の抵抗に起因する充電効率と充電電力の大きさとの関係の一例を示した図である。蓄電池ユニット２の残容量や線路の太さ等にもよるが、例えば、蓄電池ユニット２および線路における充電効率と充電電力の大きさとは、図５に示されるような関係になる。すなわち、蓄電池ユニット２や線路における充電効率は、充電電力が増えるにつれて低下する。
【００３４】
よって、電力制御システム１全体の充電効率と充電電力との相関は、以下のようになる。図６は、蓄電池ユニット２、線路、ハイブリッドＰＣＳ４および双方向ユニット３の全体の充電効率と充電電力との関係の一例を示した図である。蓄電池ユニット２、線路、ハイブリッドＰＣＳ４および双方向ユニット３の各部における充電電力の損失量を総合した場合、高い充電効率で充電できる場合の充電電力は、ハイブリッドＰＣＳ４および双方向ユニット３の仕様で定まっている最大充電電力よりも大幅に小さい。
【００３５】
このため、仮に残量が０％の蓄電池ユニット２を充電して残量が１００％の状態にしたい場合、高い充電効率で充電できる場合の充電電力だと長時間の充電時間を必要とするため、契約によって定められる割安な時間帯の長さがこの充電時間よりも短いと、蓄電池ユニット２の充電がこの時間帯に完了できない可能性が生ずる。
【００３６】
そこで、電力制御システム１の制御装置５は、少なくとも２つの充電モードを実現する。すなわち、制御装置５は、所定の容量を有する蓄電池ユニット２を深夜の数時間で満充電状態にできる第１の充電モード（以下、第１の充電モードの充電電力を第１充電電力という）と、第１の充電モードより充電電力は小さいものの充電効率が比較的高い第２の充電モード（以下、第２の充電モードの充電電力を第２充電電力という）の２つの充電モードを実現する。そして、制御装置５は、設定時間帯になると、２つの充電モードの中から選定した、設定時間帯の終了時刻に蓄電池ユニット２の充電が完了する一又は複数の充電モードに従ってハイブリッドＰＣＳ４および双方向ユニット３を作動させる。なお、電力制御システム１の制御装置５は、２つの充電モードを実現するものに限定されるものでなく、例えば、第１の充電モードの充電電力や第２の充電モードの充電電力とは異なる充電電力で蓄電池ユニット２を充電する第３の充電モードや、その他の充電モードを実現するものであってもよい。
【００３７】
図７は、制御装置５が実行する処理のフローチャートである。制御装置５は、現在時刻
とメモリの設定情報とを比較し、予め設定された設定時間帯になったか否かの判定を行う（Ｓ１０１）。制御装置５は、ステップＳ１０１で肯定判定を行った場合、蓄電池ユニット２の残量チェックを行う（Ｓ１０２）。蓄電池ユニット２の残量は、蓄電池ユニット２の入出力電流、電圧、温度、その他各種の情報に基づいてチェックすることができる。制御装置５は、ステップＳ１０２の処理を実行した後、第２の充電モードによる充電で蓄電池ユニット２を設定時間帯の終了時刻までに満充電状態にすることが可能か否かの判定を、蓄電池ユニット２の残量と第２の充電モードの充電電力とに基づいて判定する（Ｓ１０３）。
【００３８】
制御装置５は、ステップＳ１０３の処理で否定判定を行った場合、第１の充電モードで充電を開始する（Ｓ１０４）。すなわち、制御装置５は、蓄電池ユニット２へ供給される充電電力が第１充電電力になるように双方向ユニット３の昇降比を調整する。制御装置５は、ステップＳ１０４の処理を実行した後、蓄電池ユニット２の残量チェックを行う（Ｓ１０５）。制御装置５は、ステップＳ１０５の処理を実行した後、第２の充電モードによる充電で蓄電池ユニット２を設定時間帯の終了時刻までに満充電状態にすることが可能か否かの判定を、蓄電池ユニット２の残量と第２の充電モードの充電電力とに基づいて判定する（Ｓ１０６）。制御装置５は、ステップＳ１０６の処理で否定判定を行った場合、ステップＳ１０５の処理を再び実行する。なお、本実施形態では、所定の容量を有する蓄電池ユニット２を深夜の数時間で満充電状態にできる充電電力が第１の充電モードとして制御装置５に設定されているため、第１の充電モードによる充電が設定時間帯の終了時刻まで継続することはない。このため、ステップＳ１０６の処理で肯定判定が行われずに蓄電池ユニット２が満充電状態になることはなく、蓄電池ユニット２の充電が開始されてから満充電状態になるまでの間の何れかのタイミングでステップＳ１０６の肯定判定が行われる。
【００３９】
制御装置５は、ステップＳ１０３またはステップＳ１０６の処理で肯定判定を行った場合、第２の充電モードで充電を開始する（Ｓ１０７）。すなわち、制御装置５は、蓄電池ユニット２へ供給される充電電力が第２充電電力になるように双方向ユニット３の昇降比を調整する。制御装置５は、ステップＳ１０７の処理を実行した後、蓄電池ユニット２の残量チェックを行う（Ｓ１０８）。制御装置５は、ステップＳ１０８の処理を実行した後、蓄電池ユニット２が満充電状態になったか否かの判定を行う（Ｓ１０９）。制御装置５は、ステップＳ１０９の処理で否定判定を行った場合、ステップＳ１０８の処理を再び実行する。また、制御装置５は、ステップＳ１０９の処理で肯定判定を行った場合、蓄電池ユニット２の充電を停止する（Ｓ１１０）。すなわち、制御装置５は、蓄電池ユニット２へ供給される充電電力が０Ｗになるように双方向ユニット３の昇降比を調整する。
【００４０】
制御装置５は、ステップＳ１０１で否定判定を行った場合、または、ステップＳ１１０の処理を実行した後、ステップＳ１０１の処理を再び実行する。
【００４１】
制御装置５が上記のステップＳ１０１からステップＳ１１０までの処理を実行することにより、蓄電池ユニット２は、例えば、以下のように充電される。
【００４２】
図８は、終始第２充電電力で充電が行われる場合の残量および充電電力の変化を示したグラフである。例えば、制御装置５は、ステップＳ１０１の処理およびステップＳ１０３の処理で肯定判定を行った場合、ステップＳ１０７の処理を実行する。制御装置５がステップＳ１０７の処理を実行すると、図８のグラフが示すように、双方向ユニット３から蓄電池ユニット２へ第２充電電力の充電電力が供給され、蓄電池ユニット２の残量が充電完了まで緩やかに上昇する。
【００４３】
図９は、充電途中で第２充電電力の充電に切り替わる場合の残量および充電電力の変化
を示したグラフである。例えば、制御装置５は、ステップＳ１０１の処理で肯定判定を行い、ステップＳ１０３の処理で否定判定を行った場合、ステップＳ１０４の処理を実行する。制御装置５がステップＳ１０４の処理を実行すると、図９のグラフが示すように、双方向ユニット３から蓄電池ユニット２へ第１充電電力が供給され、蓄電池ユニット２の残量が満充電の途中まで上昇する。そして、制御装置５は、第１の充電モードによる充電途中に、ステップＳ１０６の処理で肯定判定を行った場合、ステップＳ１０７の処理を実行する。制御装置５がステップＳ１０７の処理を実行すると、図９のグラフが示すように、双方向ユニット３から蓄電池ユニット２へ供給さる充電電力が第１充電電力から第２充電電力へ変化し、蓄電池ユニット２の残量が充電完了まで緩やかに上昇する。
【００４４】
上記実施形態の電力制御システム１において実現される蓄電池の充電方法であれば、蓄電池ユニット２の内部抵抗や線路の抵抗、ハイブリッドＰＣＳ４および双方向ユニット３の変換効率を総合的に踏まえた、電力制御システム１全体の充電効率を優先した第２の充電モードによる充電が行われる。そして、第２の充電モードによる充電では蓄電池ユニット２の充電が設定時間帯に完了できない場合に、第１の充電モードによる充電が併用される。従って、上記実施形態の電力制御システム１であれば、充電効率の低下を抑制しながら、電力が割安な時間帯に充電を完了できる。
【符号の説明】
【００４５】
１・・・電力制御システム
２・・・蓄電池ユニット
３・・・双方向ユニット
４・・・ハイブリッドＰＣＳ
５・・・制御装置
６・・・電力系統
７・・・負荷
８・・・太陽光発電モジュール
【図１】
0006459821.tif 000002
【図２】
0006459821.tif 000003
【図３】
0006459821.tif 000004
【図４】
0006459821.tif 000005
【図５】
0006459821.tif 000006
【図６】
0006459821.tif 000007
【図７】
0006459821.tif 000008
【図８】
0006459821.tif 000009
【図９】
0006459821.tif 000010